(57)【要約】【課題】通帳を無駄にすることなく、通帳カセットへの通帳の充填が正しいか否かのチェックをすることが可能な通帳発行装置、通帳発行装置における通帳発行方法および通帳発行プログラムを提供すること。【解決手段】通帳が種類毎に収納される通帳カセットから指定された種類の通帳を搬出し、搬出された通帳の表面を撮像して撮像画像を取得し、撮像された撮像画像と通帳画像格納部に格納された通帳の表裏面画像を比較し、比較の結果、搬出された通帳の上下方向が通帳画像格納部に格納された表面画像または裏面画像の上下方向と異なるか否かを判定し、判定の結果、上下方向が異なると判定された場合、搬出された通帳の上下方向を通帳画像格納部に格納された表面画像または裏面画像の上下方向と同じ方向に訂正する。【選択図】図４
2017138672.tif 000002
【特許請求の範囲】
【請求項１】
通帳を発行する通帳発行機能を有する通帳発行装置であって、
前記通帳の表裏面画像に対応する通帳第１面画像および通帳第２面画像を格納する通帳画像格納部と、
前記通帳が種類毎に収納される通帳カセットから指定された種類の前記通帳を搬出する通帳搬出部と、
前記通帳搬出部によって搬出された前記通帳の第１面または第２面を撮像して撮像第１面画像または撮像第２面画像を取得する撮像部と、
前記撮像部によって撮像された前記撮像第１面画像または前記撮像第２面画像と前記通帳画像格納部に格納された前記通帳第１面画像または前記通帳第２面画像を比較する画像比較部と、
前記画像比較部による比較の結果、前記通帳搬出部によって搬出された前記通帳の上下方向が前記通帳画像格納部に格納された前記通帳第１面画像または前記通帳第２面画像の上下方向と異なるか否かを判定する通帳上下方向判定部と、
前記通帳上下方向判定部によって上下方向が異なると判定された場合、前記搬出された前記通帳の上下方向を前記通帳画像格納部に格納された前記通帳第１面画像または前記通帳第２面画像の上下方向と同じ方向に訂正する通帳上下方向訂正部と、
を備えることを特徴とする通帳発行装置。
【請求項２】
前記画像比較部による比較の結果、前記通帳搬出部によって搬出された前記通帳の種類が前記通帳画像格納部に格納された前記通帳第１面画像または前記通帳第２面画像に対応する前記通帳の種類と異なるか否かを判定する通帳種類判定部と、
前記通帳種類判定部によって種類が異なると判定された場合、前記通帳搬出部によって搬出された前記通帳を前記通帳カセットとは異なる他の通帳カセットに再搬入する通帳再搬入部と、
を備えることを特徴とする請求項１に記載の通帳発行装置。
【請求項３】
前記通帳上下方向判定部は、第１の比較と第２の比較の２回の比較を実行し、前記第１の比較において、前記撮像部によって撮像された前記撮像第１面画像または前記撮像第２面画像と前記通帳画像格納部に格納された前記通帳表面画像または前記通帳裏面画像が同一でないと判定し、前記第２の比較において、前記撮像部によって撮像された前記撮像第１面画像または前記撮像第２面画像を１８０度回転させた上下反転画像と前記通帳画像格納部に格納された前記通帳表面画像または前記通帳裏面画像が同一であると判定した場合、前記通帳搬出部によって搬出された前記通帳の上下方向が前記通帳画像格納部に格納された前記通帳表面画像または前記通帳裏面画像の上下方向と異なると判定する、ことを特徴とする請求項１または２に記載の通帳発行装置。
【請求項４】
通帳を発行する通帳発行機能を有する通帳発行装置において実行される通帳発行方法であって、
前記通帳が種類毎に収納される通帳カセットから指定された種類の前記通帳を搬出し、
前記搬出された前記通帳の第１面または第２面を撮像して撮像第１面画像または撮像第２面画像を取得し、
前記撮像された前記撮像第１面画像または前記撮像第２面画像と通帳画像格納部に格納された前記通帳の表裏面画像に対応する通帳第１面画像または通帳第２面画像を比較し、
前記比較の結果、前記搬出された前記通帳の上下方向が前記通帳画像格納部に格納された前記通帳第１面画像または前記通帳第２面画像の上下方向と異なるか否かを判定し、
前記判定の結果、上下方向が異なると判定された場合、前記搬出された前記通帳の上下方向を前記通帳画像格納部に格納された前記通帳第１面画像または前記通帳第２面画像の上下方向と同じ方向に訂正する、
ことを特徴とする通帳発行方法。
【請求項５】
通帳を発行する通帳発行機能を有する通帳発行装置における通帳発行プログラムであって、
前記通帳発行装置のコンピュータを、
前記通帳が種類毎に収納される通帳カセットから指定された種類の前記通帳を搬出する通帳搬出手段、
前記通帳搬出手段によって搬出された前記通帳の第１面または第２面を撮像して撮像第１面画像または撮像第２面画像を取得する撮像手段、
前記撮像手段によって撮像された前記撮像第１面画像または前記撮像第２面画像と通帳画像格納部に格納された前記通帳の表裏面画像に対応する通帳第１面画像または通帳第２面画像を比較する画像比較手段、
前記画像比較手段による比較の結果、前記通帳搬出手段によって搬出された前記通帳の上下方向が前記通帳画像格納部に格納された前記通帳第１面画像または前記通帳第２面画像の上下方向と異なるか否かを判定する通帳上下方向判定手段、
前記通帳上下方向判定手段によって上下方向が異なると判定された場合、前記搬出された前記通帳の上下方向を前記通帳画像格納部に格納された前記通帳第１面画像または前記通帳第２面画像の上下方向と同じ方向に訂正する通帳上下方向訂正手段、
として機能させるための通帳発行プログラム。
【発明の詳細な説明】
【技術分野】
【０００１】
本発明は、金融機関等の店舗に設置され、通帳発行機能を有する通帳発行装置、通帳発行装置における通帳発行方法および通帳発行プログラムに関する。
【背景技術】
【０００２】
従来、銀行等の金融機関の店舗には、通帳を発行または繰越発行する通帳発行機能を有する通帳発行装置が設置されている。このような通帳発行装置においては、例えば、取り込んだ通帳における記帳が通帳の末尾に達すると、新規の通帳への繰越発行が行われる。また、現金自動預金支払機（ＡＴＭ：Automated Teller Machine）等の自動取引装置や通帳記帳機は、通帳発行機能または通帳発行装置を内蔵している機種もある。
【０００３】
このような通帳発行装置は、発行するための通帳が装填される複数の通帳カセットを備えている。通帳カセットに通帳を補充したり交換したりする際には、未使用の通帳を担当者が手で装填している。装填においては、１つの通帳カセットに対して１種類の通帳しか装填できず、システム上で設定した所定の種類の通帳を装填する必要がある。例えば、通帳カセットＡには普通預金通帳を装填し、通帳カセットＢには総合口座通帳を充填する。同じ普通預金通帳でも、表示の絵柄が異なる場合には、異なる通帳カセットを用いる。また、充填する通帳の上下方向も通帳カセット毎に決められている。例えば、通帳カセットＡは表紙（表面）が手前側で閉じ部を上側にして充填し、通帳カセットＢは裏表紙（裏面）が手前側で閉じ部を上側にして装填する必要がある。
【０００４】
上述したように、通帳カセットへの通帳の充填は、人手による作業のため、装填ミスを想定している。そこで、通帳発行装置は、通帳カセットから搬送された通帳が発行対象の通帳か否かのチェックを実施している（例えば、特許文献１、２参照。）。
【０００５】
例えば、通帳の磁気ストライプのプレエンコードによるチェックを実施している。また、見開きページ以降のページバーコードによるチェックを実施する場合もある。プレエンコードを使っていない銀行等の金融機関では、見開きページ以降のページバーコードによるチェックの方法が取られていることが多い。
【先行技術文献】
【特許文献】
【０００６】
【特許文献１】特開２００８−２８２２９０号公報
【特許文献２】特開２００７−１７９３１２号公報
【発明の概要】
【発明が解決しようとする課題】
【０００７】
しかしながら、上述のようなチェック方法は、表紙に旧通帳と同じ口座情報を印字させてからチェックを実行しているため、チェック結果がＮＧの場合でも表紙に印字してしまい、書き損じとなり通帳が無駄になってしまう、という問題点があった。
【０００８】
本発明は、上述のような実状に鑑みたものであり、通帳を無駄にすることなく、通帳カセットへの通帳の充填が正しいか否かのチェックをすることが可能な通帳発行装置、通帳発行装置における通帳発行方法および通帳発行プログラムを提供することを目的とする。
【課題を解決するための手段】
【０００９】
本発明は、上記課題を解決するため、下記のような構成を採用した。
すなわち、本発明の一態様によれば、本発明の通帳発行装置は、通帳を発行する通帳発行機能を有する通帳発行装置であって、前記通帳の表裏面画像に対応する通帳第１面画像および通帳第２面画像を格納する通帳画像格納部と、前記通帳が種類毎に収納される通帳カセットから指定された種類の前記通帳を搬出する通帳搬出部と、前記通帳搬出部によって搬出された前記通帳の第１面または第２面を撮像して撮像第１面画像または撮像第２面画像を取得する撮像部と、前記撮像部によって撮像された前記撮像第１面画像または前記撮像第２面画像と前記通帳画像格納部に格納された前記通帳第１面画像または前記通帳第２面画像を比較する画像比較部と、前記画像比較部による比較の結果、前記通帳搬出部によって搬出された前記通帳の上下方向が前記通帳画像格納部に格納された前記通帳第１面画像または前記通帳第２面画像の上下方向と異なるか否かを判定する通帳上下方向判定部と、前記通帳上下方向判定部によって上下方向が異なると判定された場合、前記搬出された前記通帳の上下方向を前記通帳画像格納部に格納された前記通帳第１面画像または前記通帳第２面画像の上下方向と同じ方向に訂正する通帳上下方向訂正部とを備えることを特徴とする。
【００１０】
また、本発明の通帳発行装置は、前記画像比較部による比較の結果、前記通帳搬出部によって搬出された前記通帳の種類が前記通帳画像格納部に格納された前記通帳第１面画像または前記通帳第２面画像に対応する前記通帳の種類と異なるか否かを判定する通帳種類判定部と、前記通帳種類判定部によって種類が異なると判定された場合、前記通帳搬出部によって搬出された前記通帳を前記通帳カセットとは異なる他の通帳カセットに再搬入する通帳再搬入部とを更に備えることが望ましい。
【００１１】
また、本発明の通帳発行装置は、前記通帳上下方向判定部が、第１の比較と第２の比較の２回の比較を実行し、前記第１の比較において、前記撮像部によって撮像された前記撮像第１面画像または前記撮像第２面画像と前記通帳画像格納部に格納された前記通帳表面画像または前記通帳裏面画像が同一でないと判定し、前記第２の比較において、前記撮像部によって撮像された前記撮像第１面画像または前記撮像第２面画像を１８０度回転させた上下反転画像と前記通帳画像格納部に格納された前記通帳表面画像または前記通帳裏面画像が同一であると判定した場合、前記通帳搬出部によって搬出された前記通帳の上下方向が前記通帳画像格納部に格納された前記通帳表面画像または前記通帳裏面画像の上下方向と異なると判定することが望ましい。
【００１２】
また、本発明の一態様によれば、本発明の通帳発行方法は、通帳を発行する通帳発行機能を有する通帳発行装置において実行される通帳発行方法であって、前記通帳が種類毎に収納される通帳カセットから指定された種類の前記通帳を搬出し、前記搬出された前記通帳の第１面または第２面を撮像して撮像第１面画像または撮像第２面画像を取得し、前記撮像された前記撮像第１面画像または前記撮像第２面画像と通帳画像格納部に格納された前記通帳の表裏面画像に対応する通帳第１面画像または通帳第２面画像を比較し、前記比較の結果、前記搬出された前記通帳の上下方向が前記通帳画像格納部に格納された前記通帳第１面画像または前記通帳第２面画像の上下方向と異なるか否かを判定し、前記判定の結果、上下方向が異なると判定された場合、前記搬出された前記通帳の上下方向を前記通帳画像格納部に格納された前記通帳第１面画像または前記通帳第２面画像の上下方向と同じ方向に訂正することを特徴とする。
【００１３】
また、本発明の一態様によれば、本発明の通帳発行プログラムは、通帳を発行する通帳発行機能を有する通帳発行装置における通帳発行プログラムであって、前記通帳発行装置のコンピュータを、前記通帳が種類毎に収納される通帳カセットから指定された種類の前記通帳を搬出する通帳搬出手段、前記通帳搬出手段によって搬出された前記通帳の第１面または第２面を撮像して撮像第１面画像または撮像第２面画像を取得する撮像手段、前記撮像手段によって撮像された前記撮像第１面画像または前記撮像第２面画像と通帳画像格納部に格納された前記通帳の表裏面画像に対応する通帳第１面画像または通帳第２面画像を比較する画像比較手段、前記画像比較手段による比較の結果、前記通帳搬出手段によって搬出された前記通帳の上下方向が前記通帳画像格納部に格納された前記通帳第１面画像または前記通帳第２面画像の上下方向と異なるか否かを判定する通帳上下方向判定手段、前記通帳上下方向判定手段によって上下方向が異なると判定された場合、前記搬出された前記通帳の上下方向を前記通帳画像格納部に格納された前記通帳第１面画像または前記通帳第２面画像の上下方向と同じ方向に訂正する通帳上下方向訂正手段として機能させるための通帳発行プログラムである。
【発明の効果】
【００１４】
本発明によれば、通帳を無駄にすることなく、通帳カセットへの通帳の充填が正しいか否かのチェックをすること可能となる、という効果を奏する。
【図面の簡単な説明】
【００１５】
【図１】実施の形態における通帳発行装置の外観斜視図である。
【図２】実施の形態における通帳発行装置の内部構成を簡略に示す断面図である。
【図３】通帳発行装置が備える通帳処理ユニットの機構構成を説明する概略図である。
【図４】実施の形態における通帳発行装置の機能ブロック図である。
【図５】実施の形態の通帳発行処理の流れを示すフローチャート（その１）である。
【図６】通帳カセットに設定されている通帳種類のデータ構成例を示す図である。
【図７】通帳を撮像する動作の概要を説明するための図である。
【図８】予め登録されている通帳画像の例を示す図である。
【図９】撮像された通帳画像の例を示す図である。
【図１０】実施の形態の通帳発行処理の流れを示すフローチャート（その２）である。
【図１１】実施の形態の通帳発行処理の流れを示すフローチャート（その３）である。
【図１２】予め登録されている通帳画像のファイル構成例を示す図である。
【図１３】実施の形態の通帳発行処理の流れを示すフローチャート（その４）である。
【図１４】通帳を通帳カセットに戻す（再搬入）動作の概要を説明するための図である。
【発明を実施するための形態】
【００１６】
以下、本発明の実施の形態について、図面を参照しながら詳細に説明する。
図１は、実施の形態における通帳発行装置の外観斜視図である。
【００１７】
図１において、通帳発行装置１は、装置本体上面の新規発行通帳スタッカ１１、新規発行通帳スタッカ１１の左側に配置されたコードリーダ１２、新規発行通帳スタッカ１１の右側に配置されたカードリーダ１３、装置本体上面から前面にかけて斜め方向を向く操作画面１４、装置本体前面上部に並ぶ記帳通帳挿入口１５と電源スイッチ１６、これら記帳通帳挿入口１５と電源スイッチ１６の下方に配置された前面扉１７を備えている。
【００１８】
新規発行通帳スタッカ１１は、通帳発行装置１が排出（発行）した繰越通帳や新規口座通帳を顧客が取り出せるように設けられている。コードリーダ１２は、新規口座の開設手続きが完了した顧客が、その開設手続きを行った受渡窓口から受け取ったコード票からコードを読み取るために設けられている。カードリーダ１３は、溝に差し込まれてスライドされた磁気カードの磁気ストライプに記録された情報を読み取る。
【００１９】
操作画面１４は、例えば液晶パネルと透明なタッチパッドを組み合わせてなるタッチパネルである。タッチパネルの画面上の表示を押すことで通帳発行装置１を外部から操作することができる。例えば顧客は、受渡窓口からコード票と共に受け取った暗証番号を、タッチパネルの画面に表示されるテンキーをタッチ操作して入力することができる。
【００２０】
記帳通帳挿入口１５は、記帳を行う通帳の挿入口である。挿入された通帳の金額記載行の記載が満杯になると、記載が満杯した通帳を排出し、続けて繰越新規通帳を排出する。電源スイッチ１６は、通帳発行装置１の電源投入と電源遮断を操作する押しボタン式のスイッチである。
【００２１】
前面扉１７は、通帳発行装置１に対し、未記入新通帳の補充、メンテナンス等を行うとき担当行員によって開閉される扉である。
【００２２】
図２は、実施の形態における通帳発行装置の内部構成を簡略に示す断面図である。
図２に示すように、通帳発行装置１は、搬送部１８、通帳収納部１９、前面扉１７の裏面に配置された発行通帳一時収納部２１及び通帳処理ユニット２２を内部に備えている。
【００２３】
搬送部１８は、通帳発行装置１内で通帳を搬送する。通帳収納部１９は、複数の通帳カセット２０を備えている。通帳カセット２０には、発行前の通帳が収納されている。発行前の通帳には、予めＲＦＩＤ(Radio Frequency IDentification)タグおよび磁気ストライプが貼付されている。通帳処理ユニット２２については、図３を用いて説明する。
【００２４】
図３は、通帳発行装置が備える通帳処理ユニットの機構構成を説明する概略図である。
図３において、通帳処理ユニット２２は、インサータフロントユニット（インサータＦユニット）３１、印刷ユニット３２、インサータリアユニット（インサータＲユニット）３３及び撮像ユニット３４を備える。
【００２５】
インサータＦユニット３１は、搬送部１８の一部である搬送ローラ対１８ａ、１８ｂ、１８ｃ、及びＭＳ（Magnetic Stripe：磁気ストライプ）ユニット４１を備える。インサータＦユニット３１は、記帳通帳挿入口１５から挿入された通帳３０を通帳発行装置１内に引き込み、搬送ローラ対１８ａ、１８ｂ、１８ｃによってＭＳユニット４１に搬送する。ＭＳユニット４１は、通帳３０の磁気ストライプに記憶されたデータを読み取り、または通帳３０の磁気ストライプにデータを書き込む。
【００２６】
印刷ユニット３２は、搬送部１８の一部である搬送ローラ対１８ｄ、１８ｅ、１８ｆ、１８ｇ、スキャナユニット４２、印字ユニット４３、及び頁めくり機構部４４を備える。スキャナユニット４２は、搬送ローラ対１８ｄによって搬送される通帳３０の位置を光学的に読み取る。印字ユニット４３は、搬送ローラ対１８ｅによって搬送される通帳３０に顧客名、口座番号、支店名、残高等の情報を印字する。頁めくり機構部４４は、搬送ローラ対１８ｆ、１８ｇによって搬送される通帳３０の頁めくり処理を実行する。
【００２７】
インサータＲユニット３３は、搬送部１８の一部である搬送ローラ対１８ｈ、通帳退避部４５及び天地ターン部４６を備える。通帳退避部４５は、搬送ローラ対１８ｈによって搬送された通帳３０の退避エリアである。天地ターン部４６は、通帳３０の天地を代える機構部である。ここで、天地とは、上辺と下辺、表面と裏面を含む概念として用いる。すなわち、天地ターン部４６は、通帳３０の上辺と下辺を代える機構、および通帳３０の表面と裏面を代える機構である。
【００２８】
撮像ユニット３４は、搬送部１８の一部である搬送ローラ対１８ｉ、１８ｊ、及びカメラ４７を備える。カメラ４７は、例えばデジタルカメラであり、搬送ローラ対１８ｉ及び１８ｊによって搬送された通帳３０を撮像する。
【００２９】
図４は、実施の形態における通帳発行装置の機能ブロック図である。
図４において、通帳発行装置１は、通帳画像格納部５０、通帳搬出部５１、撮像部５２、画像比較部５３、通帳上下方向判定部５４、通帳上下方向訂正部５５、通帳種類判定部５６、通帳再搬入部５７、印刷部５８、及び通帳発行部５９を備える。そして、通帳発行装置１は、通帳を発行する通帳発行機能を有する。
【００３０】
通帳画像格納部５０は、通帳の表裏面画像を格納する。例えば、通帳の表面画像に対応する通帳第１面画像と裏面画像に対応する通帳第２面画像を格納する。
【００３１】
通帳搬出部５１は、通帳が種類毎に収納される複数の通帳カセット２０のうち、指定された種類の通帳が収納されている通帳カセット２０から通帳を搬出する。
【００３２】
撮像部５２は、通帳搬出部５１によって搬出された通帳の第１面または第２面を撮像して撮像第１面画像または撮像第２面画像を取得する。例えば、撮像部５２は、通帳の表面を撮像し表面画像を取得する。また、撮像部５２は、通帳の裏面を撮像し裏面画像を取得する。
【００３３】
画像比較部５３は、撮像部５２によって撮像された撮像第１面画像または撮像第２面画像と通帳画像格納部５０に格納された通帳第１面画像または通帳第２面画像を比較する。画像の比較には、既存のマッチング技術が利用することが可能であり、画像自体を利用してもよいし、画像の特徴点を利用してもよい。
【００３４】
通帳上下方向判定部５４は、画像比較部５３による比較の結果、通帳搬出部５１によって搬出された通帳の上下方向が通帳画像格納部５０に格納された通帳第１面画像または通帳第２面画像の上下方向と異なるか否かを判定する。例えば、通帳上下方向判定部５４は、第１の比較と第２の比較の２回の比較を実行し、第１の比較において、撮像部５２によって撮像された撮像第１面画像または撮像第２面画像と通帳画像格納部５０に格納された通帳第１面画像または通帳第２面画像が同一でないと判定し、第２の比較において、撮像部５２によって撮像された撮像第１面画像または撮像第２面画像を１８０度回転させた上下反転画像と通帳画像格納部５０に格納された通帳第１面画像または通帳第２面画像が同一であると判定した場合、通帳搬出部５１によって搬出された通帳の上下方向が通帳画像格納部５０に格納された通帳表面画像または通帳裏面画像の上下方向と異なると判定する。
【００３５】
通帳上下方向訂正部５５は、通帳上下方向判定部５４によって上下方向が異なると判定された場合、搬出された通帳の上下方向を通帳画像格納部５０に格納された通帳第１面画像または通帳第２面画像の上下方向と同じ方向に訂正する。
【００３６】
通帳種類判定部５６は、画像比較部５３による比較の結果、通帳搬出部５１によって搬出された通帳の種類が通帳画像格納部５０に格納された通帳第１面画像または通帳第２面画像に対応する通帳の種類と異なるか否かを判定する。例えば、撮像部５２によって撮像された撮像第１面画像と通帳画像格納部５０に格納された通帳第１面画像との比較、撮像第１面画像と通帳第１面画像を１８０度回転させた上下反転画像との比較、撮像第２面画像と通帳第２面画像との比較、撮像第２面画像と通帳第２面画像を１８０度回転させた上下反転画像との比較、これら４つのパターンの比較の結果、全てのパターンが異なる場合、通帳の種類と異なると判定する。
【００３７】
通帳再搬入部５７は、通帳種類判定部５６によって種類が異なると判定された場合、通帳搬出部５１によって搬出された通帳を通帳カセット２０とは異なる他の通帳カセット２０に再搬入する。
【００３８】
印刷部５８は、通帳上下方向訂正部５５によって通帳の上下方向が訂正された通帳の表紙に、旧通帳と同じ口座番号や顧客名等の口座情報を印字させる。または、印刷部５８は、通帳上下方向判定部５４によって上下方向が異ならないと判定された通帳の表紙に旧通帳と同じ口座情報を印字させる。
【００３９】
そして、通帳発行部５９は、旧通帳と同じ口座情報が印字された新規の通帳を発行する。
【００４０】
次に、図５乃至１４を用いて、上述の通帳発行装置１が実行する通帳発行処理について説明する。
【００４１】
図５、１０、１１、１３は、実施の形態の通帳発行処理の流れを示すフローチャートであり、図６は、通帳カセットに設定されている通帳種類のデータ構成例を示す図であり、図７は、通帳を撮像する動作の概要を説明するための図であり、図８は、予め登録されている通帳画像の例を示す図であり、図９は、撮像された通帳画像の例を示す図であり、図１２は、予め登録されている通帳画像のファイル構成例を示す図であり、図１４は、通帳を通帳カセットに戻す（再搬入）動作の概要を説明するための図である。
【００４２】
なお、以下で説明する通帳発行処理は、通帳発行装置１全体の制御を行うことができる不図示のＣＰＵ（Central Processing Unit）を含むコンピュータにより実行される。ＣＰＵは、不図示のバスを介して不図示のＲＡＭ（Random Access Memory）及び不図示のＲＯＭ（Read Only Memory）と接続されている。
【００４３】
ＲＡＭは、ＣＰＵに実行させるＯＳ（Operating System）のプログラムやアプリケーションプログラムの少なくとも一部が一時的に格納される。また、ＲＡＭには、ＣＰＵによる処理に必要な各種データが格納される。ＲＯＭには、ＯＳや通帳発行プログラムを含むアプリケーションプログラムが格納される。
【００４４】
通帳発行装置１のＣＰＵは、図５のステップＳ５０１において、記帳通帳挿入口１５から挿入された通帳が通帳発行装置１内に挿入されたことを検出し、例えば通帳の裏面に貼り付けられた磁気記録媒体に記録された情報を読み取る。ＣＰＵは、ステップＳ５０２において、通帳印字が満杯となった場合、挿入された通帳の最終ページの最終行に終了している取引処理内容を印字するとともに、新規の通帳（新通帳）を発行したことを示す繰越メッセージを印字し、ＭＳユニット４１で旧通帳（挿入された通帳）の磁気ストライプを磁気的に破壊し、旧通帳により取引の実行ができないようにする。ＣＰＵは、ステップＳ５０３において、搬送部１８にある旧通帳を通帳退避部４５に退避させる。
【００４５】
ＣＰＵは、ステップＳ５０４において、操作画面１４より繰越通帳の通帳種類を指定させる。
【００４６】
ＣＰＵは、ステップＳ５０５において、未使用の通帳が種類毎に収納される複数の通帳カセット２０のうち、指定された種類の通帳が収納されている通帳カセット２０から、１冊の未使用通帳を搬出する。各通帳カセット２０は、図６に示したように、それぞれ収納されている通帳の種類が対応付けられており、例えば、普通預金の通帳が指定された場合、普通預金の通帳が収納された通帳カセット２０から未使用通帳を搬出する。
【００４７】
ＣＰＵは、ステップＳ５０６において、ステップＳ５０５で搬出された未使用通帳の表面を撮像し表面画像を取得する。例えば、図７に示すように、通帳カセット２０から搬送ローラ対１８ｈによって未使用通帳が天地ターン部４６に搬送され、天地ターン部４６で未使用通帳の天地を代えた後、搬送ローラ対１８ｈ、１８ｊ及び１８ｉによって搬送した未使用通帳をカメラ４７で撮像する。
【００４８】
ＣＰＵは、ステップＳ５０７において、通帳画像格納部５０に予め格納された画像、例えば図８（ａ）に示すような通帳第１面画像、または、図８（ｂ）に示すような通帳第２面画像を読み出し、例えば図８（ａ）に示すような通帳第１面画像とステップＳ５０６で撮像された未使用通帳の表面画像と比較する。
【００４９】
ステップＳ５０７での比較の結果に基づいて、ＣＰＵは、第１にステップＳ５０８において、通帳第１画像（図８（ａ））と撮像された未使用通帳の表面画像の正方向（撮影したとおりの画像方向）とが一致するか否かを判断する。例えば、撮像された未使用通帳の表面画像が図９（ａ）に示すような画像の場合、両者は一致するので（ステップＳ５０８：ＹＥＳ）、図１０のステップＳ１００６に進む。
【００５０】
一致しなかった場合（ステップＳ５０８：ＮＯ）、例えば、撮像された未使用通帳の表面画像が図９（ｂ）、（ｃ）、（ｄ）、（ｅ）に示すような画像の場合、両者は一致しないので、ＣＰＵは、第２にステップＳ５０９において、通帳第１画像（図８（ａ））と撮像された未使用通帳の表面画像の逆方向（撮影した画像方向の上下を反転させた画像）とが一致するか否かを判断する。例えば、撮像された未使用通帳の表面画像が図９（ｂ）に示すような画像の場合、反転すると両者は一致するので（ステップＳ５０９：ＹＥＳ）、ＣＰＵは、ステップＳ５１０において、天地ターン部４６で通帳を１８０度回転させ、上辺と下辺を代える。そして、図１０のステップＳ１００６に進む。
【００５１】
一致しなかった場合（ステップＳ５０９：ＮＯ）、例えば、撮像された未使用通帳の表面画像が図９（ｃ）、（ｄ）、（ｅ）に示すような画像の場合、両者は一致しないので、ＣＰＵは、第３に図１０のステップＳ１００１において、通帳第２画像（図８（ｂ））と撮像された未使用通帳の裏面画像の正方向（撮影したとおりの画像方向）とが一致するか否かを判断する。例えば、撮像された未使用通帳の裏面画像が図９（ｃ）に示すような画像の場合、両者は一致するので（ステップＳ１００１：ＹＥＳ）、ＣＰＵは、ステップＳ１００２において、天地ターン部４６で通帳をひっくり返し、表面と裏面を代える。そして、ステップＳ１００６に進む。
【００５２】
一致しなかった場合（ステップＳ１００１：ＮＯ）、例えば、撮像された未使用通帳の表面画像が図９（ｄ）、（ｅ）に示すような画像の場合、ＣＰＵは、両者は一致しないので、第４にステップＳ１００３において、通帳第２画像（図８（ｂ））と撮像された未使用通帳の裏面画像の逆方向（撮影した画像方向の上下を反転させた画像）とが一致するか否かを判断する。例えば、撮像された未使用通帳の裏面画像が図９（ｃ）に示すような画像の場合、両者は一致するので（ステップＳ１００３：ＹＥＳ）、ＣＰＵは、ステップＳ１００４において、天地ターン部４６で通帳をひっくり返し、表面と裏面を代える。更に、ＣＰＵは、ステップＳ１００５において、天地ターン部４６で通帳を１８０度回転させ、上辺と下辺を代える。そして、ステップＳ１００６に進む。
【００５３】
ＣＰＵは、ステップＳ１００６において、印字ユニット４３によって未使用通帳に旧通帳と同じ口座番号や顧客名等の口座情報を印字し、ステップＳ１００７において、ＭＳユニット４１で通帳の磁気ストライプにデータを書き込む。
【００５４】
そして、ＣＰＵは、ステップＳ１００８において、発行した繰越通帳を新規発行通帳スタッカ１１から返却し、ステップＳ１００９において、図５のステップＳ５０１で挿入された旧通帳を新規発行通帳スタッカ１１から返却し、本通帳発行処理を終了する。
【００５５】
他方、ステップＳ１００３で通帳第２画像（図８（ｂ））と撮像された未使用通帳の裏面画像の逆方向（撮影した画像方向の上下を反転させた画像）が一致しないと判断された場合（ステップＳ１００３：ＮＯ）、図１１のステップＳ１１００に進む。この場合は、図５のステップＳ５０５で搬出された通帳が本来収納されているべき通帳カセット２０に収納されていなかったことを意味する。
【００５６】
まず、ＣＰＵは、ステップＳ１１００において、通帳種類ごとの通帳画像のファイルが構成されているテーブルの比較済フラグを全てクリアする。
【００５７】
次に、ＣＰＵは、ステップＳ１１０１において、カセット番号を示す変数Ｘに１を代入し、ステップＳ１１０２において、カセット番号がＸの通帳カセット２０に収納された通帳についての画像比較が実行済みか否かを、図１２に示すような「比較済みフラグ」を参照して判断する。
【００５８】
比較済み（ＯＮ）であれば（ステップＳ１１０２：ＹＥＳ）、ＣＰＵは、ステップＳ１１１０において、変数Ｘをインクリメント（１を加算）し、ステップＳ１１１１において、全ての通帳カセット２０についての処理が終了したか判断する。
【００５９】
終了していなければ（ステップＳ１１１１：ＮＯ）、ステップＳ１１０２以降を繰り返す。
【００６０】
なお、終了してしまったら（ステップＳ１１１１：ＹＥＳ）、搬出した通帳は現在使用されていない、または他金融機関の通帳等、使用できない通帳なので、ステップＳ１１１２において、搬出した通帳を破棄し、図５のステップＳ５０５に戻る。
【００６１】
比較済みでなければ（ステップＳ１１０２：ＮＯ）、ＣＰＵは、ステップＳ１１０３において、通帳画像格納部５０に予め格納された画像、例えば図８（ａ）に示すような通帳第１面画像、または、図８（ｂ）に示すような通帳第２面画像を読み出し、例えば図８（ａ）に示すような通帳第１面画像とカセットＸに収納されていた未使用通帳の表面画像と比較する。
【００６２】
ステップＳ１１０３での比較の結果に基づいて、ＣＰＵは、第１にステップＳ１１０４において、通帳第１画像（図８（ａ））と撮像された未使用通帳の表面画像の正方向（撮影したとおりの画像方向）とが一致するか否かを判断する。例えば、撮像された未使用通帳の表面画像が図９（ａ）に示すような画像の場合、両者は一致するので（ステップＳ１１０４：ＹＥＳ）、ステップＳ１１０９に進む。
【００６３】
一致しなかった場合（ステップＳ１１０４：ＮＯ）、例えば、撮像された未使用通帳の表面画像が図９（ｂ）、（ｃ）、（ｄ）、（ｅ）に示すような画像の場合、両者は一致しないので、ＣＰＵは、第２にステップＳ１１０５において、通帳第１画像（図８（ａ））と撮像された未使用通帳の表面画像の逆方向（撮影した画像方向の上下を反転させた画像）とが一致するか否かを判断する。例えば、撮像された未使用通帳の表面画像が図９（ｂ）に示すような画像の場合、反転すると両者は一致するので（ステップＳ１１０５：ＹＥＳ）、ＣＰＵは、ステップＳ１１０６において、天地ターン部４６で通帳を１８０度回転させ、上辺と下辺を代える。そして、ステップＳ１１０９に進む。
【００６４】
一致しなかった場合（ステップＳ１１０５：ＮＯ）、例えば、撮像された未使用通帳の表面画像が図９（ｃ）、（ｄ）、（ｅ）に示すような画像の場合、両者は一致しないので、ＣＰＵは、第３にステップＳ１１０７において、通帳第２画像（図８（ｂ））と撮像された未使用通帳の裏面画像の正方向（撮影したとおりの画像方向）とが一致するか否かを判断する。例えば、撮像された未使用通帳の裏面画像が図９（ｃ）に示すような画像の場合、両者は一致するので（ステップＳ１１０７：ＹＥＳ）、ＣＰＵは、ステップＳ１１０８において、天地ターン部４６で通帳をひっくり返し、表面と裏面を代える。そして、ステップＳ１１０９に進む。
【００６５】
一致しなかった場合（ステップＳ１１０７：ＮＯ）、例えば、撮像された未使用通帳の表面画像が図９（ｄ）、（ｅ）に示すような画像の場合、ＣＰＵは、両者は一致しないので、第４に図１３のステップＳ１３０１において、通帳第２画像（図８（ｂ））と撮像された未使用通帳の裏面画像の逆方向（撮影した画像方向の上下を反転させた画像）とが一致するか否かを判断する。例えば、撮像された未使用通帳の裏面画像が図９（ｃ）に示すような画像の場合、両者は一致するので（ステップＳ１３０１：ＹＥＳ）、ＣＰＵは、ステップＳ１３０２において、天地ターン部４６で通帳をひっくり返し、表面と裏面を代える。更に、ＣＰＵは、ステップＳ１３０３において、天地ターン部４６で通帳を１８０度回転させ、上辺と下辺を代える。そして、図１１のステップＳ１１０９に進む。
【００６６】
他方、ステップＳ１３０１で通帳第２画像（図８（ｂ））と撮像された未使用通帳の裏面画像の逆方向（撮影した画像方向の上下を反転させた画像）が一致しないと判断された場合（ステップＳ１３０１：ＮＯ）、ＣＰＵは、ステップＳ１３０４において、該カセットの（通帳カセット番号と通帳種類が校正されたテーブルの）通帳種類より、通帳種類ごとの通帳画像のファイルが構成されているテーブルの該通帳種類の比較済フラグをＯＮし、図１１のステップＳ１１１０に戻る。
【００６７】
図１１のステップＳ１１０４で両者が一致したと判断された場合（ステップＳ１１０４：ＹＥＳ）、ステップＳ１１０６で通帳の上辺と下辺を代えた後、ステップＳ１１０８で通帳の表面と裏面を代えた後、図１３のステップＳ１３０３で通帳の上辺と下辺を代えた後、ＣＰＵは、図１１のステップＳ１１０９において、搬出された通帳を該カセットに戻（再搬入）し、図５のステップＳ５０５に戻る。この際、カメラ４７で撮像された未使用通帳は、例えば、図１４に示すように、搬送ローラ対１８ｉ、１８ｊ及び１８ｈによって天地ターン部４６に搬送され、天地ターン部４６で未使用通帳の天地を代えた後、搬送ローラ対１８ｈによって正しい通帳カセット２０に戻される。
【００６８】
以上説明したように、通帳発行装置１において実行される通帳発行処理は、金融機関等の店舗に設置されている通帳繰越機やＡＴＭ等の通帳繰越機構に関する技術である。すなわち、予め金融機関等で使用される通帳の表裏の画像データを取得しておき、通帳繰越時に通帳カセット２０から通帳を搬送（送り出し）し、新規通帳処理（口座番号や顧客名等の印字）を行う前に、取得しておいた通帳の表裏の画像データと通帳カセット２０から搬送してきた通帳の表裏の画像データを取得し比較し、表裏・方向が間違っていると判定した場合は、間違い（表裏・方向）を修正する。また、通帳の種類が間違っていると判定した場合は、該当の通帳カセット２０へその通帳を搬送（戻し）、再度、次の通帳を通帳カセット２０から搬送（送り出し）する。これにより、通帳の種類を間違え装填したり、表裏・方向を間違えて装填したりするミスを補完することができる。
【００６９】
以上、本発明の実施の形態を、図面を参照しながら説明してきたが、上述してきた本発明の実施の形態は、通帳発行装置の一機能としてハードウェアまたはＤＳＰ（Digital Signal Processor）ボードまたはＣＰＵボードでのファームウェアもしくはソフトウェアにより実現することができる。
【００７０】
また、本発明が適用される通帳発行装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００７１】
また、バスに接続されたＣＰＵ、ＲＯＭまたはＲＡＭのメモリ、入力装置、出力装置、外部記録装置、媒体駆動装置、ネットワーク接続装置で構成されるシステムでも実現できる。すなわち、前述してきた実施の形態のシステムを実現するソフトェアのプログラムを記録したＲＯＭまたはＲＡＭのメモリ、外部記録装置、可搬記録媒体を、通帳発行装置に供給し、その通帳発行装置のコンピュータがプログラムを読み出し実行することによっても、達成されることは言うまでもない。
【００７２】
この場合、可搬記録媒体等から読み出されたプログラム自体が本発明の新規な機能を実現することになり、そのプログラムを記録した可搬記録媒体等は本発明を構成することになる。
【００７３】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールまたはパソコン通信等のネットワーク接続装置（言い換えれば、通信回線）を介して記録した種々の記録媒体などを用いることができる。
【００７４】
また、コンピュータ（情報処理装置）がメモリ上に読み出したプログラムを実行することによって、前述した実施の形態の機能が実現される他、そのプログラムの指示に基づき、コンピュータ上で稼動しているＯＳなどが実際の処理の一部または全部を行ない、その処理によっても前述した実施の形態の機能が実現される。
【００７５】
さらに、可搬型記録媒体から読み出されたプログラムまたはプログラム（データ）提供者から提供されたプログラム（データ）が、コンピュータに挿入された機能拡張ボードまたはコンピュータに接続された機能拡張ユニットに備わるメモリに書き込まれた後、そのプログラムの指示に基づき、その機能拡張ボードまたは機能拡張ユニットに備わるＣＰＵなどが実際の処理の一部または全部を行ない、その処理によっても前述した実施の形態の機能が実現され得る。
【００７６】
すなわち、本発明は、以上に述べた実施の形態に限定されるものではなく、本発明の要旨を逸脱しない範囲内で種々の構成または形状を取ることができる。
【符号の説明】
【００７７】
１          通帳発行装置
１１        新規発行通帳スタッカ
１２        コードリーダ
１３        カードリーダ
１４        操作画面
１５        記帳通帳挿入口
１６        電源スイッチ
１７        前面扉
１８        搬送部
１８ａ、１８ｂ、１８ｃ、１８ｄ、１８ｅ、１８ｆ、１８ｇ、１８ｈ、１８ｉ、１８ｊ  搬送ローラ対
１９        通帳収納部
２０        通帳カセット
２１        発行通帳一時収納部
２２        通帳処理ユニット
３０        通帳
３１        インサータフロントユニット（インサータＦユニット）
３２        印刷ユニット
３３        インサータリアユニット（インサータＲユニット）
３４        撮像ユニット
４１        ＭＳ（Magnetic Stripe）ユニット
４２        スキャナユニット
４３        印字ユニット
４４        頁めくり機構部
４５        通帳退避部
４６        天地ターン部
４７        カメラ
５０        通帳画像格納部
５１        通帳搬出部
５２        撮像部
５３        画像比較部
５４        通帳上下方向判定部
５５        通帳上下方向訂正部
５６        通帳種類判定部
５７        通帳再搬入部
５８        印刷部
５９        通帳発行部
【図１】
2017138672.tif 000003
【図２】
2017138672.tif 000004
【図３】
2017138672.tif 000005
【図４】
2017138672.tif 000006
【図５】
2017138672.tif 000007
【図６】
2017138672.tif 000008
【図７】
2017138672.tif 000009
【図８】
2017138672.tif 000010
【図９】
2017138672.tif 000011
【図１０】
2017138672.tif 000012
【図１１】
2017138672.tif 000013
【図１２】
2017138672.tif 000014
【図１３】
2017138672.tif 000015
【図１４】
2017138672.tif 000016